(57)【要約】      （修正有）【課題】曲げ及びワイヤ加圧処理による端子の止め部分の前端縁の突出の問題を改善した電源コネクタを提供する。【解決手段】絶縁ハウジングは、内部に端子受容溝を画定し、かつ止め壁を備える。端子は、端子受容溝内に位置決めされ、かつ嵌合部分、止め部分、及びワイヤ接続部分を備える。止め部分は、止め壁に当接し、かつ第１の水平部分及び第２の水平部分を備える。第１の水平部分は、第１の前端縁を備える。第２の水平部分は、第２の前端縁を備える。第１の水平部分の前端部の一部及び第２の水平部分の前端部の一部が切断され、したがって、端子がワイヤをクランプするとき、第１の前端縁及び第２の前端縁は、前方に突出するように前方及び外方に広がらないが、互いに対して平行であるか又はそれぞれ後方に延在し、これにより、止め部分の第１の前端縁及び第２の前端縁が、突出によって止め壁にまず当接することを回避することができる。【選択図】図７
2020188014.tif 000002
【特許請求の範囲】
【請求項１】
電源コネクタであって、
内部に端子受容溝を画定する絶縁ハウジングを備え、該絶縁ハウジングが、
該絶縁ハウジングから前記端子受容溝内に突出するリブ部分と、
前記絶縁ハウジングの端子受容溝内に位置決めされた端子と、を備え、該端子が、
嵌合部分と、
該嵌合部分と接続するクランプ部分と、を備え、該クランプ部分が、
第１の側壁と、
該第１の側壁と対向する第２の側壁であって、前記第１の側壁及び第２の側壁が左右方向に位置決めされている、第２の側壁と、
２つの第１の端部部分、及び該２つの第１の端部部分の間に位置決めされた第１の中間部分を有する、第１のクランプアームであって、前記２つの第１の端部部分が、前記第１の側壁とそれぞれ接続され、前記第１の中間部分が、前記第２の側壁に向かって突出する、第１のクランプアームと、
２つの第２の端部部分及び該２つの第２の端部部分の間に位置決めされた第２の中間部分を有する第２のクランプアームであって、前記２つの第２の端部部分が前記第２の側壁にそれぞれ接続され、前記第２の中間部分が前記第１の側壁に向かって突出する、第２のクランプアームと、を備え、
前記第１のクランプアームの第１の中間部分及び第２のクランプアームの第２の中間部分が、前記絶縁ハウジングのリブ部分をクランプし、かつそれに固定される、クランプ部分と、
該クランプ部分と接続するワイヤ接続部分と、を備える、電源コネクタ。
【請求項２】
前記絶縁ハウジングが、前記左右方向に位置決めされた２つの側壁を更に備え、前記端子受容溝内に延在する止めブロックが、前記２つの側壁の各々に設けられ、該２つの側壁の止めブロックが、前記端子を支持する、請求項１に記載の電源コネクタ。
【発明の詳細な説明】
【技術分野】
【０００１】
本開示は、電源コネクタに関し、具体的には、絶縁ハウジングと端子とを備えている電源コネクタに関する。
【背景技術】
【０００２】
電源コネクタは、電子製品に広く使用されており、ワイヤを接続するための端子と、端子を受容する絶縁ハウジングと、を備える。
【０００３】
図１は、既存の電源コネクタの分解図であり、図２は、図１の既存の電源コネクタの組み立て概略図であり、これらは、米国特許第５，４５８，５１１号に開示されている。図１を参照すると、既存の電源コネクタは、絶縁ハウジングＡ１及び端子Ａ３を備え、端子Ａ３は、止め部分Ａ３１を備える。図２を参照すると、絶縁ハウジングＡ１は、止め壁Ａ１１を備える。端子Ａ３が絶縁ハウジングＡ１に取り付けられるとき、端子Ａ３が端子Ａ３の止め部分Ａ３１が止め壁Ａ１１に当接することによって固定される。図３及び図４は、既存の電源コネクタの端子Ａ３の概略図である。図３は、端子Ａ３がワイヤをクランプする前の状態を示し、図４は、端子Ａ３がワイヤをクランプした後の状態を示す。図３及び図４を参照すると、端子Ａ３がワイヤをクランプする前は、止め部分Ａ３１の２つの前端縁Ａ３１１が水平であり、端子Ａ３がワイヤをクランプした後は、屈曲及びワイヤ加圧処理により、止め部分Ａ３１の２つの前端縁Ａ３１１が前方に突出し、突出量は端子に対する屈曲及びワイヤ加圧処理の変化に伴って変化し、２つの前端縁Ａ３１１の突出量も変化し得る。端子Ａ３が絶縁ハウジング内Ａ１に取り付けられるとき、まず絶縁ハウジングＡ１の止め壁Ａ１１に当接するのは、前方に突出する２つの前端縁Ａ３１１であるため、これにより結果として、端子Ａ３を正しい位置に取り付けることができない。
【０００４】
図５は、中国特許出願第０１１０９４４５．１号（中国特許公開第１００４２８５７７Ｃ）に開示されている、既存の電源コネクタセットを示す分解概略図である。図５を参照すると、既存の電源コネクタセットは、第１の絶縁ハウジングＢ１、第２の絶縁ハウジングＢ２、及びロックアセンブリＢ１１を備える。第１の絶縁ハウジングＢ１は、例えば、レセプタクルコネクタの絶縁ハウジングであり、第２の絶縁ハウジングＢ２は、例えば、プラグコネクタの絶縁ハウジングである。ロックアセンブリＢ１１は、第１の絶縁ハウジングＢ１の外面に取り付けられている。第２の絶縁ハウジングＢ２は、突出ブロックＢ２１を備える。第１の絶縁ハウジングＢ１及び第２の絶縁ハウジングＢ２は、ロックアセンブリＢ１１と第２の絶縁ハウジングＢ２の突出ブロックＢ２１とが互いにラッチされることによって互いに組み立てられる。図６は、第１の絶縁ハウジングＢ１及びロックアセンブリＢ１１を示す概略構成図である。図６を参照すると、ロックアセンブリＢ１１は、２つの脚Ｂ１１１、押圧ハンドルＢ１１２、２つの弾性アームＢ１１３、及びラッチアームＢ１１４を備える。ロックアセンブリＢ１１は、押圧ハンドルＢ１１２の剛性を増加させ、相互のラッチ力を適切に強化し、コネクタの機械的強度を改善させる。しかしながら、既存の電源コネクタでは、弾性アームＢ１１３が押圧ハンドルＢ１１２から外方に延在し、次に第１の絶縁ハウジングＢ１に下方に直接接続され、これにより結果として、ロックアセンブリＢ１１の可撓性が劣り、押圧ハンドルＢ１１２を押し下げて操作することが困難になる。加えて、既存の電源コネクタのラッチアームＢ１１４は、全体が硬く、ラッチアームＢ１１４の厚さが厚いため、製造が困難になり、その結果、特に金型注入工程で壁厚が不均一になり、続いてひけの問題が生じる結果になる。
【発明の概要】
【課題を解決するための手段】
【０００５】
背景技術の上の記載を考慮し、本開示は、以下の目的、すなわち、既存の電源コネクタにおける曲げ及びワイヤ加圧処理による端子の止め部分の前端縁の突出の問題を改善し、その結果、端子を絶縁ハウジング内の正しい位置に取り付けることができるようにすることと、既存の電源コネクタにおけるロックアセンブリの柔軟性が劣るという問題を改善し、その結果、ロックアセンブリの弾性及び可撓性を改善しながら機械的強度を維持することと、端子のクランプアーム及び絶縁ハウジングのリブ部分の設計によって雄端子の固定を強化し、電源コネクタの良好な接触性能を保証すること、を含む。
【０００６】
本開示の実施形態は、絶縁ハウジングと、端子とを備えている、電源コネクタを提供する。絶縁ハウジングは、内部に端子受容溝を画定し、絶縁ハウジングは、止め壁を備える。端子は、絶縁ハウジングの端子受容溝内に位置決めされ、端子は、嵌合部分、止め部分、及びワイヤ接続部分を備える。止め部分は、嵌合部分と接続し、止め部分は、絶縁ハウジングの止め壁に当接し、かつ第１の水平部分、第２の水平部分、第１の垂直部分、第２の垂直部分、第１の屈曲部分、及び第２の屈曲部分を備える。第１の水平部分は、第１の前端縁と、第１の前端縁と対向する第１の後端縁であって、第１の前端縁及び第１の後端縁が前後方向に位置決めされる、第１の後端縁と、第１の前端縁と第１の後端縁とを接続し、かつ前後方向に延在する第１の自由端縁と、を備える。第２の水平部分は、第１の水平部分と対向し、第１の水平部分及び第２の水平部分が左右方向に位置決めされ、第２の水平部分が第２の前端縁と、第２の前端縁と対向する第２の後端縁であって、第２の前端縁及び第２の後端縁が前後方向に位置決めされる、第２の後端縁と、第２の前端縁と第２の後端縁とを接続し、かつ前後方向に延在する、第２の自由端縁と、を備える。第１の垂直部分は、第１の水平部分に対して垂直であり、かつ上下方向に延在する。第２の垂直部分は、第２の水平部分に対して垂直であり、かつ上下方向に延在し、第１の垂直部分及び第２の垂直部分は、左右方向に位置決めされる。第１の屈曲部分は、第１の水平部分と第１の垂直部分とを接続する。第２の屈曲部分は、第２の水平部分と第２の垂直部分とを接続する。ワイヤ接続部分は、止め部分と接続する。第１の水平部分の第１の前端縁及び第２の水平部分の第２の前端縁は、互いに対して平行に延在するか、又はそれぞれ後方に延在し、端子の止め部分の第１の垂直部分と第２の垂直部分との間の距離は、後方に徐々に狭くなり、端子の止め部分の第１の自由端縁と第２の自由端縁との間の距離が、後方に徐々に狭くなる。
【０００７】
一部の実施形態では、端子の止め部分の第１の後端縁及び第２の後端縁が、それぞれ前方に延在する。
【０００８】
一部の実施形態では、絶縁ハウジングが、勾配を更に備え、勾配が、絶縁ハウジングの端子受容溝の底部分で位置決めされ、かつ前後方向において後ろから前へ上昇し、絶縁ハウジングの止め壁が、端子受容溝の上部分で位置決めされ、端子受容溝の上部分及び底部分が、上下方向に位置決めされる。
【０００９】
一部の実施形態では、端子の嵌合部分が、係合開口部を更に画定し、絶縁ハウジングが、絶縁ハウジングの端子受容溝内に位置決めされた弾性アームを更に備え、弾性アームが、絶縁ハウジングに接続された第１の端部と、自由端である第２の端部と、第１の端部と第２の端部との間に形成され、かつ端子受容溝内に突出する係合突出部であって、端子の嵌合部分の係合開口部とラッチされる、係合突出部と、を備える。
【００１０】
一部の実施形態では、端子の嵌合部分が、係合開口部を更に画定し、絶縁ハウジングが、絶縁ハウジングの端子受容溝内に位置決めされた弾性アームを更に備え、弾性アームが、絶縁ハウジングに接続された第１の端部と、絶縁ハウジングに接続された第２の端部と、第１の端部と第２の端部との間に形成され、かつ端子受容溝内に突出する係合突出部であって、端子の嵌合部分の係合開口部とラッチされる、係合突出部と、を備える。
【００１１】
一部の実施形態では、絶縁ハウジングの止め壁が、端子受容溝の上部分で位置決めされ、絶縁ハウジングの弾性アームが、端子受容溝の底部分で位置決めされ、端子受容溝の上部分及び底部分が、上下方向に位置決めされる。
【００１２】
本開示の別の実施形態は、電源コネクタを提供し、電源コネクタは、絶縁ハウジングと、絶縁ハウジングの上面に設けられ、かつ上下方向に絶縁ハウジングと共に位置決めされる、ロックアセンブリと、を備える。ロックアセンブリは、フレーム、第１の脚、第２の脚、第１の弾性アーム、及び第２の弾性アームを備える。フレームは、内部に開口部を画定し、フレームは、前部ブラケットと、前部ブラケットと対向し、かつ開口部によって前部ブラケットから離間した後部ブラケットであって、前部ブラケット及び後部ブラケットが前後方向に位置決めされる、後部ブラケットと、前後方向に延在し、かつ前部ブラケットと後部ブラケットとを接続する第１の側部ブラケットと、第１の側部ブラケットと対向し、開口部によって第１の側部ブラケットから離間し、かつ前部ブラケットと後部ブラケットとを接続する第２の側部ブラケットであって、第１の側部ブラケット及び第２の側部ブラケットが左右方向に位置決めされ、開口部が前部ブラケット、後部ブラケット、第１の側部ブラケット、及び第２の側部ブラケットによって形成される、第２の側部ブラケットと、フレームの前部ブラケットと後部ブラケットとの間に位置決めされ、上下方向においてフレームの第１の側部ブラケットから絶縁ハウジングに延在し、かつ絶縁ハウジングを接続する、第１の脚と、を備える。第２の脚は、フレームの前部ブラケットと後部ブラケットとの間に位置決めされ、上下方向においてフレームの第２の側部ブラケットから絶縁ハウジングに延在し、かつ絶縁ハウジングを接続する。第１の弾性アームは、左右方向においてフレームの後部ブラケットの第１の端部から外方に延在し、次いで前後方向においてフレームの前部ブラケットに向かって延在し、次いで上下方向において絶縁ハウジングに延在し、かつ絶縁ハウジングと接続する。第２の弾性アームは、左右方向においてフレームの後部ブラケットの第２の端部から外方に延在し、次いで前後方向においてフレームの前部ブラケットに向かって延在し、次いで上下方向において絶縁ハウジングに延在し、かつ絶縁ハウジングと接続する。
【００１３】
一部の実施形態では、絶縁ハウジングは、前後方向において外部電源コネクタの外部絶縁ハウジングと対応して組み立てられ、突出ブロックが外部絶縁ハウジングの外面に設けられ、かつ絶縁ハウジングのロックアセンブリの開口部にラッチされる。
【００１４】
一部の実施形態では、絶縁ハウジングが、左右方向に位置決めされた２つの側壁を更に備え、上下方向に位置決めされた２つのラッチブロックが、２つの側壁の各々に設けられ、前後方向を延長するガイドリブが、２つの側壁の各々の２つのラッチブロックの間に設けられる。
【００１５】
一部の実施形態では、フレームの前部ブラケット、後部ブラケット、第１の側部ブラケット、及び第２の側部ブラケットは、薄肉円筒であり、そのサイズによりフレームの製造における金型注入の不均一な壁厚によるひけを回避することができる。
【００１６】
本開示の別の実施形態は、内部に端子受容溝を画定する、絶縁ハウジングを備える、電源コネクタを提供する。絶縁ハウジングは、絶縁ハウジングから端子受容溝内に突出するリブ部分と、絶縁ハウジングの端子受容溝内に位置決めされる端子とを備える。端子は、嵌合部分、クランプ部分、及びワイヤ接続部分を備える。クランプ部分は、嵌合部分と接続し、クランプ部分は、第１の側壁と、第１の側壁と対向する第２の側壁であって、第１の側壁及び第２の側壁が左右方向に位置決めされている、第２の側壁と、２つの第１の端部部分及び２つの第１の端部部分の間に位置決めされた第１の中間部分を有する第１のクランプアームであって、２つの第１の端部部分が第１の側壁にそれぞれ接続され、第１の中間部分が第２の側壁に向かって突出する、第１のクランプアームと、２つの第２の端部部分及び２つの第２の端部部分の間に位置決めされた第２の中間部分を有する、第２のクランプアームであって、２つの第２の端部部分が第２の側壁にそれぞれ接続され、第２の中間部分が第１の側壁に向かって突出する、第２のクランプアームと、を備える。第１のクランプアームの第１の中間部分及び第２のクランプアームの第２の中間部分は、絶縁ハウジングのリブ部分をクランプし、かつそれに固定される。ワイヤ接続部分は、クランプ部分と接続する。
【００１７】
一部の実施形態では、絶縁ハウジングは、左右方向に位置決めされた２つの側壁を更に備え、端子受容溝内に延在する止めブロックが、２つの側壁の各々に設けられ、２つの側壁の止めブロックが、端子を支持する。
【００１８】
本開示の一実施形態では、第１の前端縁及び第２の前端縁は、第１の水平部分の前端の一部及び第２の水平部分の前端の一部をそれぞれ切断することによって形成される。したがって、端子がワイヤをクランプするとき、第１の前端縁及び第２の前端縁は、前方に突出するように前方及び外方に広がらないが、互いに対して平行に延在するか、又はそれぞれ後方に延在し、これにより、第１の前端縁及び第２の前端縁が前方に突出する場合に、端子の止め部分の第１の前端縁及び第２の前端縁が、第１の絶縁ハウジングの止め壁にまず当接することを避けることができる。したがって、本開示の端子を、第１の絶縁ハウジングの正しい位置に取り付けることができる。
【００１９】
本開示の一実施形態では、止め部分における第１の水平部分及び第１の屈曲部分の切断部分と、第２の水平部分及び第２の屈曲部分の切断部分とは、第１の屈曲部分と第２の屈曲部分の前縁の左右の根元部分をそれぞれ起点にし、互いに向かって後方に延在する。第１の水平部分の一部及び第２の水平部分の一部のみを切断することと比べて、本実施形態はまた、第１の前端縁及び第２の前端縁が、ワイヤをクランプする端子の曲げ及びワイヤ加圧処理により、前方に突出するように前方及び外方に広がることをより効果的に回避し、かつまた、端子を第１の絶縁ハウジング内の正しい位置に取り付けることができる。
【００２０】
本開示の一実施形態では、本開示は、第１の弾性アーム及び第２の弾性アームを通るロックアセンブリの機械的強度及び可撓性の両方を増加させる。先行技術と異なり、第１の弾性アーム及び第２の弾性アームは、ロックアセンブリの後部ブラケットの左右の端部からそれぞれ外方に延在せず、次いで第１の絶縁ハウジングに下方に直接接続されるが、第１の弾性アーム及び第２の弾性アームは、ロックアセンブリの後部ブラケットの左右の端部からそれぞれ外方に延在し、次いでまず一定距離だけ前方に延在し、その後、第１の絶縁ハウジングと下方に接続する。この設計は、ロックアセンブリの柔軟性を増加させ、かつ先行技術におけるロックアセンブリの押圧ハンドルが押し下げにくいという問題を回避することができる。すなわち、本開示によれば、第１の絶縁ハウジングと第２の絶縁ハウジングとの組み立て又は分解が容易になる。
【００２１】
本開示の一実施形態では、ロックアセンブリのフレームの開口部は、上下方向においてフレームの比較的大きな面積を占める。加えて、フレームの前部ブラケット、後部ブラケット、第１の側部ブラケット、及び第２の側部ブラケットは、薄肉円筒である。したがって、この設計は、フレームを製造する際の金型注入の不均一な壁厚によるひけを回避することができる。先行技術におけるロック部材は、壁厚が厚すぎるために厚くて硬いブロック（例えばラッチアーム）であるか、又は小さな開口部を有し、金型注入中に不均一な充填が起こり、後続の熱膨張を伴う不均一な充填及び収縮によりロック部材が変形しやすくなる。
【００２２】
本開示の一実施形態では、端子は、雄端子であってもよい。一般に、電源コネクタの設計において、良好な接触性能を確保するために、雌端子は、プラスチック本体内を移動可能であり、プラグ端子は、可能な限り移動可能ではない。本開示は、端子の固定を強化するために、端子の第１のクランプアーム及び第２のクランプアームと、第２の絶縁ハウジングのリブ部分との協働を利用する。
【図面の簡単な説明】
【００２３】
本開示の様々な観点は、添付図面に関連する以下の詳細な説明によって最もよく理解されるであろう。本業界の標準的な実施態様によれば、特徴は尺度どおり描写されていないことに留意されたい。実際には、明確な説明のために、様々な特徴の寸法を任意に拡大又は縮小してもよい。
【００２４】
【図１】既存の電源コネクタを示す分解概略図である。
【図２】図１の既存の電源コネクタを示す組み立て概略図である。
【図３】ワイヤをクランプする前の図１の既存の電源コネクタの端子を示す概略図である。
【図４】ワイヤをクランプした後の図１の既存の電源コネクタの端子を示す概略図である。
【図５】既存の電源コネクタセットを示す分解概略図である。
【図６】図５の電源コネクタセットの絶縁ハウジング及びロックアセンブリを示す構成概略図である。
【図７】本開示の一実施形態による電源コネクタセットを示す分解斜視概略図である。
【図８】別の角度から見た図７の電源コネクタセットを示す分解斜視概略図である。
【図９】図７の電源コネクタセットを示す組み立て斜視概略図である。
【図１０】別の角度から見た図７の電源コネクタセットを示す組み立て斜視概略図である。
【図１１】図７の電源コネクタセットの一部を示す断面概略図である。
【図１２】図７の電源コネクタセットの一部を示す断面を示す斜視概略図である。
【図１３】ワイヤをクランプした後の図７の端子を示す概略図である。
【図１４】ワイヤをクランプする前の図７の端子を示す概略図である。
【図１５】ワイヤをクランプした後の本開示による別の実施形態の端子を示す概略図である。
【図１６】ワイヤをクランプする前の図１５の端子を示す概略図である。
【図１７】端子が第１の絶縁ハウジングに通常の向きで組み立てられた状態を示す断面概略図である。
【図１８】端子が第１の絶縁ハウジングに逆向きに組み立てられた状態を示す断面概略図である。
【図１９】図７の電源コネクタセットの第１の絶縁ハウジング及び第２の絶縁ハウジングを示す斜視概略図である。
【図２０】図７の電源コネクタセットを示す組み立て斜視概略図である。
【図２１】図９の電源コネクタセットを示す上面概略図である。
【図２２】図７の組み立てられた端子及び第２の絶縁ハウジングを示す背面図である。
【図２３】組み立てられた端子及び線Ｙ−Ｙに沿って切断した第２の絶縁ハウジングを示す断面図である。
【図２４】図７の組み立てられた端子及び第２の絶縁ハウジングを示す断面概略図である。
【符号の説明】
【００２５】
参照番号は、以下のように表されている。
【００２６】
１  第１の絶縁ハウジング
１０  電源コネクタ
１２  端子受容溝
１３  ロックアセンブリ
１３２  フレーム
１３２１  開口部
１３２２  前部ブラケット
１３２４  後部ブラケット
１３２６  第１の側部ブラケット
１３２８  第２の側部ブラケット
１３４  第１の脚
１３５  第２の脚
１３６  第１の弾性アーム
１３７  第２の弾性アーム
１４  弾性アーム
１４２  第１の端部
１４４  第２の端部
１４４２  係合突出部
１５  勾配
１６  止め壁
１８  側壁
１８２  ラッチブロック
１８４  ガイドリブ
３  端子
３２  嵌合部分
３２２  係合開口部
３４  止め部分
３６  ワイヤ接続部分
３４２  第１の水平部分
３４４  第２の水平部分
３４６  第１の垂直部分
３４８  第２の垂直部分
３４１  第１の屈曲部分
３４１１  根元部分
３４１３  前端縁
３４３３  前端縁
３４３  第２の屈曲部分
３４２２  第１の前端縁
３４２４  第１の後端縁
３４２６  第１の自由端縁
３４４２  第２の前端縁
３４４４  第２の後端縁
３４４６  第２の自由端縁
２  第２の絶縁ハウジング
２２  端子受容溝
２６  側壁
２６２  止めブロック
２７  リブ部分
２９  突出ブロック
４  端子
４２  嵌合部分
４４  クランプ部分
４６  ワイヤ接続部分
４４２  第１の側壁
４４４  第２の側壁
４４６  第１のクランプアーム
４４６２  第１の端部部分
４４６４  第１の中間部分
４４８  第２のクランプアーム
４４８２  第２の端部部分
４４８４  第２の中間部分
【発明を実施するための形態】
【００２７】
以下の開示内容は、本開示の様々な特徴を実施するために使用される様々な実施形態又は例示を提供する。本開示の開示内容を簡略化するために、構成要素及び構成の特定の例を以下に説明する。これらは確実に単なる例であり、本開示を限定するために使用されるものではない。例えば、以下の説明において、第１の特徴が第２の特徴上又はその上部に形成されることは、第１の特徴及び第２の特徴が互いに直接接触するように形成される実施形態を含んでもよく、他の特徴が第１の特徴と第２の特徴との間に形成され、このため、第１の特徴と第２の特徴は互いに直接接触しない実施形態を含んでもよい。更に、本開示は、異なる例において構成要素の記号及び／又は文字が繰り返されてもよい。繰り返しは、簡略化及び明確化のために使用されるが、様々な実施形態及び／又は考察される構造の間の関係の優位性を示すために使用されるものではない。
【００２８】
更に、本開示は、「下方」、「より低い」、「相対的に低い」、「より高い」、「相対的に高い」の簡単な表現などの空間的に対応する用語を使用して、任意の構成要素又は特徴と別の構成要素又は特徴との関係を記述してもよい。空間的に対応する用語は、図に例解する向きの他に、使用又は動作中のデバイスの様々な向きを含むために使用される。デバイスの向きを変えてもよく（９０度、又は他の向きに回転させる）、本開示において対応する空間の記述について、対応して説明してもよい。任意の特徴が別の特徴又は基板の上に形成されるとき、それらの間に他の特徴が提示され得ることを理解されたい。
【００２９】
図７は、本開示の一実施形態による電源コネクタセット１０を示す分解斜視概略図である。図８は、別の角度から見た図７の電源コネクタセット１０を示す分解斜視概略図である。図９は、図７の電源コネクタセット１０を示す組み立て斜視概略図である。図１０は、別の角度から見た図７の電源コネクタセット１０を示す組み立て斜視概略図である。図７〜図１０を参照すると、電源コネクタセット１０は、第１の絶縁ハウジング１、ロックアセンブリ１３、第２の絶縁ハウジング２、複数の端子３、複数の端子４、複数のワイヤ７、複数の端子固定部分５、及び複数の端子固定部分６を備える。第１の絶縁ハウジング１、ロックアセンブリ１３、複数の端子３、及び複数の端子固定部分５は、レセプタクルコネクタの一部を形成する。第２の絶縁ハウジング２、複数の端子４、及び複数の端子固定部分６は、プラグコネクタの一部を形成する。本開示の特徴が記載されるとき、本明細書で使用される実施形態は、プラグコネクタ又はレセプタクルコネクタであり得るが、各特徴は、プラグコネクタ及びレセプタクルコネクタに所望されるように適用され得ることに留意されたい。
【００３０】
本開示では、端子３及び端子４などの電源コネクタセット１０の各構成要素は、複数であってもよいが、説明の便宜上、各構成要素は、適切な場合、単一の要素として説明する。第１の絶縁ハウジング１及び第２の絶縁ハウジング２は、複数の端子受容溝１２及び複数の端子受容溝２２をそれぞれ有する。端子受容溝１２及び端子受容溝２２は、端子３及び端子４をそれぞれ受容するために使用される。より具体的には、端子３を例にとると、端子３が、前後方向Ｄ１において端子受容溝２２にそれぞれ受容される。
【００３１】
図１１は、図７の電源コネクタセット１０の一部を示す断面概略図である。図１２は、図７の電源コネクタセット１０の一部を示す断面を示す斜視概略図である。図１１及び図１２を参照すると、第１の絶縁ハウジング１は、止め壁１６及び弾性アーム１４を備える。止め壁１６は端子３を止めるために使用され、これについては以下で詳細に説明する。弾性アーム１４は、第１の絶縁ハウジング１の端子受容溝１２内に位置決めされる。弾性アーム１４は、第１の端部１４２、第２の端部１４４、及び係合突出部１４４２を備え、係合突出部１４４２は、第１の端部１４２と第２の端部１４４との間に形成され、端子受容溝１２内に突出し、その結果、端子３の係合開口部３２２にラッチされる。一実施形態では、第１の端部１４２と第２の端部１４４の両方が第１の絶縁ハウジング１に接続される。別の実施形態では、第１の端部１４２は、第１の絶縁ハウジング１に接続され、第２の端部１４４は、第１の絶縁ハウジング１に接続されないが、端子受容溝内に延在する自由端であり、その結果、弾性アーム１４が片持ち梁を形成する。
【００３２】
端子３は、嵌合部分３２、止め部分３４、及びワイヤ接続部分３６を備える。嵌合部分３２、止め部分３４、及びワイヤ接続部分３６は、前後方向Ｄ１に配列され、かつ順次接続される。嵌合部分３２は、内部に係合開口部３２２を画定し、第１の絶縁ハウジング１の係合開口部３２２及び係合突出部１４４２が互いにラッチされる。端子固定部分５は、固定シート体５２を備える。端子３の止め部分３４は、固定シート体５２の前端によって支持されて第１の絶縁ハウジング１の止め壁１６に当接し、かつそれに固定され、その結果、端子３は、第１の絶縁ハウジング１内で止められる。
【００３３】
本開示では、端子の状態が特に指定されない場合、端子の状態は「ワイヤクランプ状態」になる。より具体的には、「ワイヤクランプ状態」とは、端子３のワイヤ接続部分３６が、ワイヤ７をクランプするための曲げ及びワイヤ加圧処理を受けた状態を指す。
【００３４】
図１３は、ワイヤをクランプした後の図７の端子を示す概略図である。図１４は、ワイヤをクランプする前の図７の端子を示す概略図である。図１３を参照すると、止め部分３４は、互いに対向する第１の水平部分３４２及び第２の水平部分３４４と、互いに対向する第１の垂直部分３４６（図１２参照）及び第２の垂直部分３４８（図１２参照）と、互いに対向する第１の屈曲部分３４１及び第２の屈曲部分３４３と、を備える。
【００３５】
第１の水平部分３４２は、第１の垂直部分３４６に対して垂直であり、かつ第１の屈曲部分３４１を介して第１の垂直部分３４６に接続される。同様に、第２の水平部分３４４は、第２の垂直部分３４８に対して垂直であり、かつ第２の屈曲部分３４３を介して第２の垂直部分３４８に接続される。一実施形態では、第１の屈曲部分３４１と第２の屈曲部分３４３は、それぞれ一定の半径を有する。
【００３６】
第１の水平部分３４２は、第１の前端縁３４２２、第１の後端縁３４２４、及び第１の自由端縁３４２６を備える。第１の自由端縁３４２６は、一般に、互いに対向し、かつ前後方向Ｄ１に位置決めされた第１の前端縁３４２２と第１の後端縁３４２４とを接続するために、前後方向Ｄ１に延在する。同様に、第２の水平部分３４４は、第２の前端縁３４４２、第２の後端縁３４４４、及び第２の自由端縁３４４６を備える。第２の自由端縁３４４６は、一般に、互いに対向し、かつ前後方向Ｄ１に位置決めされた第２の前端縁３４４２と第２の後端縁３４４４とを接続するために、前後方向Ｄ１に延在する。
【００３７】
本開示において、「前部」とは前後方向Ｄ１の前側を指し、「後部」とは前後方向Ｄ１の後側を指す。例えば、第１の前端縁３４２２は、前後方向Ｄ１の後側よりも前後方向Ｄ１の前側に近接している。
【００３８】
図１３に示すように、端子３がワイヤをクランプした後、ワイヤ接続部分３６は、曲げ及びワイヤ加圧処理によって止め部分３４を曲げかつ締め付け、第１の垂直部分３４６及び第２の垂直部分３４８は、締め付けによって前方及び外方に広がり、これにより結果として、左右方向Ｄ２における第１の垂直部分３４６と第２の垂直部分３４８との距離が後方に徐々に狭くなり、かつこれにより、第１の水平部分３４２及び第２の水平部分３４４を前方に押し出す。このとき、止め部分３４の第１の後端縁３４２４及び第２の後端縁３４４４は、それぞれ前方に延在し、第１の自由端縁３４２６と第２の自由端縁３４４６との距離が後方に徐々に狭くなる。しかし、第１の前端縁３４２２及び第２の前端縁３４４２は、前方に突出するように前方及び外方に広がらないが、互いに対して平行に延在するか又はそれぞれ後方に延在する。
【００３９】
端子３が第１の絶縁ハウジング１に組み立てられると（図１１及び図１２を参照）、図１４に詳細に示すような、止め部分３４の設計のために、端子３がワイヤをクランプした後、端子３の第１の水平部分３４２の第１の前端縁３４２２及び第２の水平部分３４４の第２の前端縁３４４２は、互いに対して平行に延在し（図１５参照）、又はそれぞれ後方に延在してもよく（図１３参照）、その結果、端子３の第１の前端縁３４２２及び第２の前端縁３４４２が、先行技術で生じるように、前方に突出してまず止め壁１６に当接することが本開示では生じず、端子３を正しい位置に取り付けることができる。別の実施形態では、端子３の第１の水平部分３４２の第１の前端縁３４２２及び第２の水平部分３４４の第２の前端縁３４４２は、第１の垂直部分３４６及び第２の垂直部分３４８の前端縁を超えて前方に突出せず、第１の前端縁３４２２及び第２の前端縁３４４２がそれぞれ後方に延在するとき、第１の垂直部分３４６及び第２の垂直部分３４８の前端縁並びに／又は第１の屈曲部分３４１及び第２の屈曲部分３４３の前端縁３４１３、３４３３は、止め壁１６に当接する。
【００４０】
図１４を参照すると、端子３のワイヤ接続部分３６は、ワイヤをクランプするための曲げ及びワイヤ加圧処理なしで開いた状態であり、このとき、止め部分３４は、曲げ及びワイヤ加圧処理なしで前方に締め付けられない。止め部分３４の第１の前端縁３４２２及び第２の前端縁３４４２は、第１の屈曲部分３４１の前端縁３４１３及び第２の屈曲部分３４３の前端縁３４３３に沿ってそれぞれ延在せず、したがって、第１の前端縁３４２２及び第２の前端縁３４４２は互いに対して平行ではない。当然ながら、第１の前端縁３４２２及び第２の前端縁３４４２は、互いに向かってそれぞれ後方に延在し、したがって、端子３がワイヤをクランプするとき、第１の前端縁３４２２及び第２の前端縁３４４２は、前方に突出するように前方及び外方に広がらないが、互いに対して平行に延在するか又はそれぞれ後方に延在し、これにより端子３の止め部分３４の第１の前端縁３４２２及び第２の前端縁３４４２は、第１の前端縁３４２２及び第２の前端縁３４４２が前方に突出する場合、第１の絶縁ハウジング１の止め壁１６にまず当接するのを回避することができる。したがって、本開示の端子３を、第１の絶縁ハウジング１の正しい位置に取り付けることができる。一実施形態では、第１の前端縁３４２２及び第２の前端縁３４４２は、第１の水平部分３４２の前端の一部及び第２の水平部分３４４の前端の一部をそれぞれ切断することによって形成される。
【００４１】
図１５は、ワイヤをクランプした後の本開示による別の実施形態の端子３を示す概略図である。図１６は、ワイヤをクランプする前の図１５の端子３を示す概略図である。図１５及び図１６を参照すると、端子３の止め部分３４は、図１３及び図１４に示す止め部分３４と類似しているが、図１５及び図１６の止め部分３４の第１の水平部分３４２の一部及び第２の水平部分３４４の一部と、第１の屈曲部分３４１の一部及び第２の屈曲部分３４３の一部とが切断される点で異なっている。より具体的には、左右の切断部分が、それぞれ、第１の屈曲部分３４１及び第２の屈曲部分３４３の前縁の左右の根元部分３４１１を起点に、互いに向かって後方に延在する。第１の水平部分３４２の一部及び第２の水平部分３４４の一部のみを切断することと比べて、本実施形態はまた、第１の前端縁３４２２及び第２の前端縁３４４２が、ワイヤをクランプする端子３の曲げ及びワイヤ加圧処理により、前方に突出するように前方及び外方に広がることをより効果的に回避することができる。図１５に示すように、止め部分３４の第１の前端縁３４２２及び第２の前端縁３４４２は、水平であり、かつ前方に突出しない。なお、第１の屈曲部分３４１の一部及び第２の屈曲部分３４３の一部が、図１５及び図１６の実施形態において切断されるが、図１３及び図１４の実施形態において切断されず、その理由として、これらの２つの部分は、図１３及び図１４の実施形態において止め部分３４の左右の根元部分３４１１で位置決めされ、端子３がワイヤをクランプするときに、これらの２つの部分によって影響を受ける変形量は、図１３及び図１４の実施形態において、ごくわずかであり、このことは図１３及び図１４の実施形態において、第１の絶縁ハウジング１内の端子３の正しい位置決めに影響を及ぼさないことに留意されたい。
【００４２】
図１７は、端子３が第１の絶縁ハウジング１に通常の向きで組み立てられた状態を示す断面概略図である。図１８は、端子３が第１の絶縁ハウジング１に逆向きで組み立てられた状態を示す断面概略図である。図１７を参照すると、第１の絶縁ハウジング１は、止め壁１６に対して上下方向Ｄ３において第１の絶縁ハウジング１の端子受容溝１２の底部分に位置決めされ、かつ後ろから前に向かって上昇する勾配１５を有する。端子３が通常の向きで組み立てられるとき、端子３の止め部分３４が勾配１５に干渉することがなく、これにより端子３を端子受容溝１２内に円滑に挿入することができる。図１８を参照すると、端子３が第１の絶縁ハウジング１に逆向きに組み立てられるとき（すなわち、端子３が通常の向きに対して上下逆になっている）、端子３の止め部分３４が勾配１５に干渉することになり、この結果、端子３を端子受容溝内１２に挿入することができなくなる。本開示では、第１の絶縁ハウジング１の勾配１５と端子３の止め部３４との協働により、通常の角度（すなわち、通常の向きである）以外の向き（９０度／１８０度／２７０度など）での、端子３の第１の絶縁ハウジング１への挿入を確実に防止することができる。
【００４３】
図１９は、図７の電源コネクタセット１０の第１の絶縁ハウジング１及び第２の絶縁ハウジング２を示す斜視概略図である。第１の絶縁ハウジング１は、レセプタクルコネクタの絶縁ハウジングであってもよく、第２の絶縁ハウジング２は、プラグコネクタの絶縁ハウジングであってもよい。図２０は、図７の電源コネクタセット１０を示す組み立て斜視概略図である。図１９及び図２０を参照すると、電源コネクタセット１０は、第１の絶縁ハウジング１の上面に設けられたロックアセンブリ１３を備える。第２の絶縁ハウジング２の上面に、突出ブロック２９が設けられる。第１の絶縁ハウジング１及び第２の絶縁ハウジング２は、ロックアセンブリ１３及び突出ブロック２９が互いにラッチされることによって互いに組み立てられる。
【００４４】
ロックアセンブリ１３は、フレーム１３２、第１の脚１３４（図２１参照）、第２の脚１３５、第１の弾性アーム１３６、及び第２の弾性アーム１３７を備える。フレーム１３２は、内部に開口部１３２１を画定する。第１の絶縁ハウジング１及び第２の絶縁ハウジング２は、フレーム１３２の開口部１３２及び突出ブロック２９が互いにラッチされることによって互いに組み立てられる。
【００４５】
フレーム１３２は、前部ブラケット１３２２、後部ブラケット１３２４、第１の側部ブラケット１３２６、及び第２の側部ブラケット１３２８を備える。前部ブラケット１３２２、後部ブラケット１３２４、第１の側部ブラケット１３２６、及び第２の側部ブラケット１３２８は、開口部１３２１を形成する。前部ブラケット１３２２及び後部ブラケット１３２４は、互いに対向し、開口部１３２１によって互いに離間し、かつ前後方向Ｄ１に位置決めされる。前部ブラケット１３２２は、第１の側部ブラケット１３２６の前端と第２の側部ブラケット１３２８の前端とを接続する。後部ブラケット１３２４は、第１の側部ブラケット１３２６の後端と第２の側部ブラケット１３２８の後端とを接続する。第１の側部ブラケット１３２６及び第２の側部ブラケット１３２８は、互いに対向し、開口部１３２１によって互いに離間し、かつ左右方向Ｄ２に位置決めされる。
【００４６】
ロックアセンブリ１３の第１の脚１３４（図２１参照）は、フレーム１３２の前部ブラケット１３２２と後部ブラケット１３２４との間に位置決めされ、かつ上下方向Ｄ３においてフレーム１３２の第１の側部ブラケット１３２６から第１の絶縁ハウジング１の上面に延在し、かつ第１の絶縁ハウジング１の上面と接続する。ロックアセンブリ１３の第２の脚１３５は、フレーム１３２の前部ブラケット１３２２と後部ブラケット１３２４との間に位置決めされ、かつ上下方向Ｄ３においてフレーム１３２の第２の側部ブラケット１３２８から第１の絶縁ハウジング１の上面に延在し、かつ第１の絶縁ハウジング１の上面と接続する。
【００４７】
ロックアセンブリ１３の第１の弾性アーム１３６は、左右方向Ｄ２において所定距離だけフレーム１３２の後部ブラケット１３２４の左端から外方に延在し、次いで前後方向Ｄ１において所定距離だけ前方に延在し、次いで上下方向Ｄ３において第１の絶縁ハウジング１の上面に延在し、かつ第１の絶縁ハウジング１の上面と接続する。ロックアセンブリ１３の第２の弾性アーム１３７は、左右方向Ｄ２において所定距離だけフレーム１３２の後部ブラケット１３２４の右端から外方に延在し、次いで前後方向Ｄ１において所定距離だけ前方に延在し、次いで上下方向Ｄ３において第１の絶縁ハウジング１の上面に延在し、かつ第１の絶縁ハウジング１の上面と接続する。
【００４８】
本開示は、第１の弾性アーム１３６及び第２の弾性アーム１３７を介して、ロックアセンブリ１３の機械的強度を増加させる。先行技術と異なり、第１の弾性アーム１３６及び第２の弾性アーム１３７は、ロックアセンブリ１３の後部ブラケット１３２４の左右の端部からそれぞれ外方に延在せず、次いで第１の絶縁ハウジング１に下方に直接接続されるが、第１の弾性アーム１３６及び第２の弾性アーム１３７は、ロックアセンブリ１３の後部ブラケット１３２４の左右の端部からそれぞれ外方に延在し、次いでまず一定距離だけ前方に延在し、その後、第１の絶縁ハウジング１と下方に接続する。この設計は、ロックアセンブリ１３の柔軟性を増加させ、かつ先行技術におけるロックアセンブリＢ１１の押圧ハンドルＢ１１２を押し下げにくいという問題を回避することができる。すなわち、本開示によれば、第１の絶縁ハウジング１と第２の絶縁ハウジング２の組み立て又は分解が容易になる。
【００４９】
加えて、上下方向Ｄ３に配列された２つのラッチブロック１８２が、第１の絶縁ハウジング１の左右の側壁１８の各々に設けられ、前後方向Ｄ１に延在するガイドリブ１８４が、２つのラッチブロック１８２の間に設けられる。端子固定部分５は、開口部５１を有する。端子固定部分５が第１の絶縁ハウジング１に組み立てられるとき、端子固定部分５は、ガイドリブ１８４によって案内され、その結果、端子固定部分５の開口部５１が第１の絶縁ハウジング１のラッチブロック１８２にラッチさせされると共に、端子固定部分５が組み立てられた端子３と第１の絶縁ハウジング１とを固定シート体５２を介して固定する（図１１の上記の説明を参照）。同様に、上下方向Ｄ３に配列された２つのラッチブロック１８２が、第２の絶縁ハウジング２の左右の側壁の各々に設けられ、前後方向Ｄ１に延在するガイドリブ１８４が、２つのラッチブロック１８２の間に設けられる。
【００５０】
端子固定部分６と第２の絶縁ハウジング２との組み立ては、端子固定部分５と第１の絶縁ハウジング１との組み立てと同様である。端子固定部分６は、開口部６１を有する。端子固定部分６が第２の絶縁ハウジング２に組み立てられるとき、端子固定部分６は、ガイドリブ１８４によって案内され、その結果、開口部６１が、ラッチブロック１８２にラッチさせられる。加えて、端子固定部分６の固定シート体は図２４に示されていないが、端子固定部分６はまた、端子固定部分６の固定シート体を介して組み立てられた端子４と第２の絶縁ハウジング２とを固定する。本開示では、ラッチブロック１８２とガイドリブ１８４との協働により、本開示は、端子固定部分５、６と絶縁ハウジング１、２との組み立ての不整合の問題を回避することができる。
【００５１】
図２１は、図９の電源コネクタセット１０を示す上面概略図である。図２１を参照すると、フレーム１３２の開口部１３２１は、上下方向においてフレーム１３２の比較的大きな面積を占める。加えて、フレーム１３２の前部ブラケット１３２２、後部ブラケット１３２４、第１の側部ブラケット１３２６、及び第２の側部ブラケット１３２８は、薄肉円筒である。したがって、この設計は、フレーム１３２を製造する際の金型注入の不均一な壁厚によるひけを回避することができる。先行技術におけるロック部材は、壁厚が厚すぎるために厚い中実ブロック（例えばラッチアームＢ１１４）であるか、又は小さな開口部を有し、射出成形中に不均一な充填が起こり、後続の熱膨張を伴う不均一な充填及び収縮によりロック部材が変形しやすくなる。
【００５２】
図２２は、図７の組み立てられた端子４及び第２の絶縁ハウジング２を示す背面図である。図２３は、組み立てられた端子４及び第２の絶縁ハウジング２を線Ｙ−Ｙで切断した断面図である。図２２及び図２３を参照すると、第２の絶縁ハウジング２は、内部に端子受容溝２２を画定する。第２の絶縁ハウジング２は、リブ部分２７及び片持ち梁２３を備え、リブ部分２７は、第２の絶縁ハウジング２から端子受容溝２２内に突出する。端子４は、端子受容溝２２内に位置決めされる。端子４は、嵌合部分４２、クランプ部分４４、及びワイヤ接続部分４６を備える。嵌合部分４２、クランプ部分４４、及びワイヤ接続部分４６は、前後方向Ｄ１に配列され、かつ順次接続される。クランプ部分４４は、第１の側壁４４２、第２の側壁４４４、第１のクランプアーム４４６、及び第２のクランプアーム４４８を備える。
【００５３】
第１のクランプアーム４４６は、２つの第１の端部部分４４６２、及び第１の中間部分４４６４を備える。第１の中間部分４４６４は、２つの第１の端部部分４４６２の間に位置決めされ、第２の側壁４４４に向かって突出する。２つの第１の端部部分４４６２は、第１の側壁４４２にそれぞれ接続される。第２のクランプアーム４４８は、２つの第２の端部部分４４８２、及び第２の中間部分４４８４を備える。第２の中間部分４４８４は、２つの第２の端部部分４４８２の間に位置決めされ、第１の側壁４４２に向かって突出する。２つの第２の端部部分４４８２は、第２の側壁４４４にそれぞれ接続される。
【００５４】
端子４が第２の絶縁ハウジング２と組み立てられるとき、第１のクランプアーム４４６の第１の中間部分４４６４と第２のクランプアーム４４８の第２の中間部分４４８４とが共に、第２の絶縁ハウジング２のリブ部分２７をクランプして端子４を第２の絶縁ハウジング２に固定する。
【００５５】
本開示では、端子４は、雄端子であってもよい。一般に、電源コネクタの設計において、良好な接触性能を確保するために、雌端子は、プラスチック本体内を移動可能であり、プラグ端子は、可能な限り移動可能ではない。本開示は、端子４の固定を強化するために、端子４の第１のクランプアーム４４６及び第２のクランプアーム４４８と、第２の絶縁ハウジング２のリブ部分２７との協働を利用する。
【００５６】
図２４は、図７の組み立てられた端子４及び第２の絶縁ハウジング２を示す断面概略図である。図２２及び図２４を共に参照すると、第２の絶縁ハウジング２は、２つの側壁２６を更に備える。２つの側壁２６は、互いに対向して左右方向Ｄ２に位置決めされる。端子受容溝２２内に延在し、かつ端子４を支持する止めブロック２６２が、２つの側壁２６のそれぞれに設けられる。一般に、先行技術では、片持ち梁２３のみが、端子の位置を絶縁ハウジング内の上下方向Ｄ３に支持及び固定するために使用されるが、片持ち梁２３は、時間の経過に伴い弾性疲労が生じ、変形すると、これにより上下方向Ｄ３における端子の位置が変化する。本開示では、止めブロック２６２は、端子４の位置を第２の絶縁ハウジング２の上下方向Ｄ３に更に固定するために使用される。端子４の上下方向Ｄ３における固定を補強するほうが良い。
【００５７】
本開示では、端子３の止め部分３４における第１の水平部分３４２の一部及び第２の水平部分３４４の一部は、一実施形態では切断され、又は第１の水平部分３４２の一部分、第２の水平部分３４４の一部、第１の屈曲部分３４１の一部及び第２の屈曲部分３４３の一部は、別の実施形態では切断され、その結果、止め部分３４の第１の前端縁３４２２及び第２の前端縁３４４２は、端子３が曲げ及びワイヤ加圧処理を受けた後に、前方に突出するように前方及び外方に広がることはなく、その結果、端子３が第１の絶縁ハウジング１と組み立てられたときに、端子３の止め部分３４の第１の前端縁３４２２及び第２の前端縁３４４２が、第１の絶縁ハウジング１の止め壁１６にまず当接することを回避し、それにより、端子３を第１の絶縁ハウジング１の正しい位置に取り付けることができる。
【００５８】
先行技術と異なり、ロックアセンブリ１３の第１の弾性アーム１３６及び第２の弾性アーム１３７が本開示に追加され、第１の弾性アーム１３６及び第２の弾性アーム１３７は、ロックアセンブリ１３の後部ブラケット１３２４の左右の端部からそれぞれ外方に延在せず、次いで第１の絶縁ハウジング１に下方に直接接続されるが、第１の弾性アーム１３６及び第２の弾性アーム１３７は、ロックアセンブリ１３の後部ブラケット１３２４の左右の端部からそれぞれ外方に延在し、次いでまず一定距離だけ前方に延在し、その後、第１の絶縁ハウジング１と下方に接続される。この設計は、ロックアセンブリ１３の柔軟性を増加させ、かつ先行技術におけるロックアセンブリＢ１１の押圧ハンドルを押し下げにくいという問題を回避することができる。
【００５９】
本開示は、端子４の固定を強化するために、端子４の第１のクランプアーム４４６及び第２のクランプアーム４４８と、第２の絶縁ハウジング２のリブ部分２７との設計を利用し、かつ電源コネクタの良好な接触性能を確保する。
【００６０】
いくつかの実施形態の特徴は、当業者が本開示の様々な態様をより良好に理解することができるように、上記内容に要約されている。当業者は、本開示が、他の構成を設計又は変更するため、その後、本開示の実施形態と同じ目的を実現し、同じ利点を得るために、容易に使用され得ることを理解されたい。当業者は、このような等価な構成が、本開示の開示内容の趣旨及び範囲から逸脱することはできず、また、当業者は、本開示の開示内容の趣旨及び範囲から逸脱することなく、様々な変更、代替及び置換を行うことができることを理解されたい。上記は一例に過ぎず、限定されるものではない。本開示の趣旨及び範囲から逸脱しない同等の変形又は修正は、添付の特許請求の範囲に含まれるべきである。
【図１】
2020188014.tif 000003
【図２】
2020188014.tif 000004
【図３】
2020188014.tif 000005
【図４】
2020188014.tif 000006
【図５】
2020188014.tif 000007
【図６】
2020188014.tif 000008
【図７】
2020188014.tif 000009
【図８】
2020188014.tif 000010
【図９】
2020188014.tif 000011
【図１０】
2020188014.tif 000012
【図１１】
2020188014.tif 000013
【図１２】
2020188014.tif 000014
【図１３】
2020188014.tif 000015
【図１４】
2020188014.tif 000016
【図１５】
2020188014.tif 000017
【図１６】
2020188014.tif 000018
【図１７】
2020188014.tif 000019
【図１８】
2020188014.tif 000020
【図１９】
2020188014.tif 000021
【図２０】
2020188014.tif 000022
【図２１】
2020188014.tif 000023
【図２２】
2020188014.tif 000024
【図２３】
2020188014.tif 000025
【図２４】
2020188014.tif 000026